【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
プリンタ本体に対するオプション機器の着脱を検出する検出器と、
前記オプション機器の着脱の検出に応じて、紙送りモータの定速度駆動時における紙送り駆動負荷に応じたモータ電流の測定を行う紙送り駆動負荷検出の実行の有無を決定する制御部と、
を備えていることを特徴とするプリンタ制御装置。
【請求項２】
前記制御部は、前記紙送り駆動負荷検出の実行の決定に応じて、前記紙送り駆動負荷検出に必要な動作を指令し、実行するものであることを特徴とする請求項１に記載のプリンタ制御装置。
【請求項３】
前記オプション機器は、プリンタ本体に対する着脱により、プリンタ本体の紙送り機構を駆動する紙送りモータの駆動負荷及びそれに対応するモータ電流の電流値を変動させ得るものであることを特徴とする請求項１又は２に記載のプリンタ制御装置。
【請求項４】
前記オプション機器は、印刷紙を切断するカッターを専用の筐体に内蔵させたカッター内蔵筐体であることを特徴とする請求項１乃至３のいずれかに記載のプリンタ制御装置。
【請求項５】
前記オプション機器は、装填された印刷紙を給紙するための給紙トレイであることを特徴とする請求項１乃至３のいずれかに記載のプリンタ制御装置。
【請求項６】
前記紙送り駆動負荷検出は、さらに、前記モータ電流の平均値の算出を行うものであることを特徴とする請求項１乃至５のいずれかに記載のプリンタ制御装置。
【請求項７】
プリンタ本体に対するオプション機器の着脱を検出するオプション機器着脱検出器と、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令部と、
前記紙送り駆動負荷検出の実行又は不実行の選択指令に対し、前記紙送り駆動負荷検出の実行又は不実行の選択を入力する選択入力部と、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出器と、
前記紙送り駆動負荷検出の実行の選択に応じて、紙送り機構部内に印刷紙が存在するか否かを検出するペーパーエンド検出器と、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行部と、
前記紙送り駆動負荷検出の過程において算出される前記モータ電流の積分値を順次蓄積保存するメモリと、
を備えていることを特徴とするプリンタ制御装置。
【請求項８】
電源がオンになったことを検出する電源オン検出器と、
プリンタ本体に対するオプション機器の着脱を検出するオプション機器着脱検出器と、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令部と、
前記紙送り駆動負荷検出の実行又は不実行の選択指令に対し、前記紙送り駆動負荷検出の実行又は不実行の選択を入力する選択入力部と、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出器と、
電源オンの検出又は前記紙送り駆動負荷検出の実行の選択に応じて、紙送り機構部内に印刷紙が存在するか否かを検出するペーパーエンド検出器と、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行部と、
前記紙送り駆動負荷検出の過程において算出される前記モータ電流の積分値を順次蓄積保存するメモリと、
を備えていることを特徴とするプリンタ制御装置。
【請求項９】
前記オプション機器は、プリンタ本体に対する着脱により、プリンタ本体の紙送り機構を駆動する紙送りモータの駆動負荷及びそれに対応するモータ電流の電流値を変動させ得るものであることを特徴とする請求項７又は８に記載のプリンタ制御装置。
【請求項１０】
前記オプション機器は、印刷紙を切断するカッターを専用の筐体に内蔵させたカッター内蔵筐体であることを特徴とする請求項７乃至９のいずれかに記載のプリンタ制御装置。
【請求項１１】
前記オプション機器は、装填された印刷紙を給紙するための給紙トレイであることを特徴とする請求項７乃至９のいずれかに記載のプリンタ制御装置。
【請求項１２】
前記紙送り駆動負荷検出は、さらに、前記モータ電流の平均値の算出を行うものであり、
前記メモリは、さらに、前記紙送り駆動負荷検出により算出された前記モータ電流の平均値を更新保存するものであることを特徴とする請求項７乃至１１のいずれかに記載のプリンタ制御装置。
【請求項１３】
プリンタ本体に対するオプション機器の着脱の検出に応じて、紙送りモータの定速度駆動時における紙送り駆動負荷に応じたモータ電流の測定を行う紙送り駆動負荷検出の実行又は不実行の選択を指令し、かつ、前記紙送り駆動負荷検出の実行の選択に応じて、前記紙送り駆動負荷検出に必要な動作を指令し、実行することを特徴とするプリンタ制御方法。
【請求項１４】
前記オプション機器は、プリンタ本体に対する着脱により、プリンタ本体の紙送り機構を駆動する紙送りモータの駆動負荷及びそれに対応するモータ電流の電流値を変動させ得るものであることを特徴とする請求項１３に記載のプリンタ制御方法。
【請求項１５】
前記オプション機器は、印刷紙を切断するカッターを専用の筐体に内蔵させたカッター内蔵筐体であることを特徴とする請求項１３又は１４に記載のプリンタ制御方法。
【請求項１６】
前記オプション機器は、装填された印刷紙を給紙するための給紙トレイであることを特徴とする請求項１３又は１４に記載のプリンタ制御方法。
【請求項１７】
前記紙送り駆動負荷検出は、さらに、前記モータ電流の平均値の算出を行うものであることを特徴とする請求項１３乃至１６のいずれかに記載のプリンタ制御方法。
【請求項１８】
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
前記紙送り駆動負荷検出の実行の選択に応じて、紙送り機構部内に印刷紙が存在するか否かを検出する印刷紙検出ステップと、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えていることを特徴とするプリンタ制御方法。
【請求項１９】
電源がオンになったことを検出する電源オン検出ステップと、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
電源オンの検出又は前記紙送り駆動負荷検出の実行の選択に応じて、紙送り機構部内に印刷紙が存在するか否かを検出する印刷紙検出ステップと、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えていることを特徴とするプリンタ制御方法。
【請求項２０】
前記オプション機器は、プリンタ本体に対する着脱により、プリンタ本体の紙送り機構を駆動する紙送りモータの駆動負荷及びそれに対応するモータ電流の電流値を変動させ得るものであることを特徴とする請求項１８又は１９に記載のプリンタ制御方法。
【請求項２１】
前記オプション機器は、印刷紙を切断するカッターを専用の筐体に内蔵させたカッター内蔵筐体であることを特徴とする請求項１８乃至２０のいずれかに記載のプリンタ制御方法。
【請求項２２】
前記オプション機器は、装填された印刷紙を給紙するための給紙トレイであることを特徴とする請求項１８乃至２０のいずれかに記載のプリンタ制御方法。
【請求項２３】
前記紙送り駆動負荷検出は、さらに、前記モータ電流の平均値の算出を行うものであり、
前記保存ステップは、さらに、前記紙送り駆動負荷検出により算出された前記モータ電流の平均値を更新保存するものであることを特徴とする請求項１８乃至２２のいずれかに記載のプリンタ制御方法。
【請求項２４】
プリンタ本体に対するオプション機器の着脱の検出に応じて、紙送りモータの定速度駆動時における紙送り駆動負荷に応じたモータ電流の測定を行う紙送り駆動負荷検出の実行又は不実行の選択を指令し、かつ、前記紙送り駆動負荷検出の実行の選択に応じて、前記紙送り駆動負荷検出に必要な動作を指令し、実行するプリンタ制御方法を、コンピュータシステムにおいて実行するコンピュータプログラムが記録されたことを特徴とするコンピュータプログラムの記録媒体。
【請求項２５】
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
前記紙送り駆動負荷検出の実行の選択に応じて、紙送り機構部内に印刷紙が存在するか否かを検出する印刷紙検出ステップと、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えているプリンタ制御方法を、コンピュータシステムにおいて実行するコンピュータプログラムが記録されたことを特徴とするコンピュータプログラムの記録媒体。
【請求項２６】
電源がオンになったことを検出する電源オン検出ステップと、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
電源オンの検出又は前記紙送り駆動負荷検出の実行の選択に応じて、紙送り機構部内に印刷紙が存在するか否かを検出する印刷紙検出ステップと、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えているプリンタ制御方法を、コンピュータシステムにおいて実行するコンピュータプログラムが記録されたことを特徴とするコンピュータプログラムの記録媒体。
【手続補正２】
【補正対象書類名】明細書
【補正対象項目名】０００１
【補正方法】変更
【補正の内容】
【０００１】
【発明の属する技術分野】
本発明は、プリンタ制御装置及びプリンタ制御方法に係り、特に、紙送り機構を駆動する紙送りモータを、一回の紙送り量が小さい場合においても高精度に制御すべく、定速駆動動作時のモータ駆動負荷に応じたモータ電流を測定し、さらに、そのモータ電流の平均値を算出するＰＦメジャーメント（紙送り駆動負荷検出）を、紙送り負荷が変動し得るオプション機器の着脱に応じて実行可能とするプリンタ制御装置及びプリンタ制御方法に関する。また、そのプリンタ制御方法を実行するコンピュータプログラムを記録した記録媒体に関する。
【手続補正３】
【補正対象書類名】明細書
【補正対象項目名】０００２
【補正方法】変更
【補正の内容】
【０００２】
【従来の技術】
プリンタ制御装置及びプリンタ制御方法においては、紙送り機構を駆動する紙送りモータを、一回の紙送り量が小さい場合においても高精度に制御すべく、電源をオンにする際に、定速駆動動作時のモータ駆動負荷に応じたモータ電流を測定し、さらに、そのモータ電流の平均値を算出するＰＦメジャーメント（紙送り駆動負荷検出）が、従来より行われている。
【手続補正４】
【補正対象書類名】明細書
【補正対象項目名】００１９
【補正方法】変更
【補正の内容】
【００１９】
【課題を解決するための手段】
本発明に係るプリンタ制御装置によれば、
プリンタ本体に対するオプション機器の着脱を検出する検出器と、
前記オプション機器の着脱の検出に応じて、紙送りモータの定速度駆動時における紙送り駆動負荷に応じたモータ電流の測定を行う紙送り駆動負荷検出の実行の有無を決定する制御部と、
を備えていることを特徴とする。
前記制御部は、前記紙送り駆動負荷検出の実行の決定に応じて、前記紙送り駆動負荷検出に必要な動作を指令し、実行するものとするとよい。
【手続補正５】
【補正対象書類名】明細書
【補正対象項目名】００２０
【補正方法】変更
【補正の内容】
【００２０】
本発明に係るプリンタ制御方法によれば、プリンタ本体に対するオプション機器の着脱の検出に応じて、紙送りモータの定速度駆動時における紙送り駆動負荷に応じたモータ電流の測定を行う紙送り駆動負荷検出の実行又は不実行の選択を指令し、かつ、前記紙送り駆動負荷検出の実行の選択に応じて、前記紙送り駆動負荷検出に必要な動作を指令し、実行することを特徴とする。
【手続補正６】
【補正対象書類名】明細書
【補正対象項目名】００２３
【補正方法】変更
【補正の内容】
【００２３】
前記紙送り駆動負荷検出は、さらに、前記モータ電流の平均値の算出を行うものとするとよい。
【手続補正７】
【補正対象書類名】明細書
【補正対象項目名】００２４
【補正方法】変更
【補正の内容】
【００２４】
上記構成により、本発明に係るプリンタ制御装置及びプリンタ制御方法は、オプション機器の着脱を検出して紙送り駆動負荷検出の実行又は不実行の選択の機会を設け、オプション機器の着脱に起因する紙送り負荷の変動が発生した場合においても、常に最適化された紙送り制御を実現して、プリンタの紙送り機構を駆動する紙送りモータを、一回の紙送り量が小さい場合も含めて高精度に制御することが可能となる。
【手続補正８】
【補正対象書類名】明細書
【補正対象項目名】００２５
【補正方法】変更
【補正の内容】
【００２５】
本発明の具体的な第１の構成に係るプリンタ制御装置によれば、
プリンタ本体に対するオプション機器の着脱を検出するオプション機器着脱検出器と、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令部と、
前記紙送り駆動負荷検出の実行又は不実行の選択指令に対し、前記紙送り駆動負荷検出の実行又は不実行の選択を入力する選択入力部と、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出器と、
前記紙送り駆動負荷検出の実行の選択に応じて、紙送り機構部内に印刷紙が存在するか否かを検出するペーパーエンド検出器と、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行部と、
前記紙送り駆動負荷検出の過程において算出される前記モータ電流の積分値を順次蓄積保存するメモリと、
を備えていることを特徴とする。
【手続補正９】
【補正対象書類名】明細書
【補正対象項目名】００２６
【補正方法】変更
【補正の内容】
【００２６】
本発明の具体的な第２の構成に係るプリンタ制御装置によれば、
電源がオンになったことを検出する電源オン検出器と、
プリンタ本体に対するオプション機器の着脱を検出するオプション機器着脱検出器と、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令部と、
前記紙送り駆動負荷検出の実行又は不実行の選択指令に対し、前記紙送り駆動負荷検出の実行又は不実行の選択を入力する選択入力部と、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出器と、
電源オンの検出又は前記紙送り駆動負荷検出の実行の選択に応じて、紙送り機構部内に印刷紙が存在するか否かを検出するペーパーエンド検出器と、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行部と、
前記紙送り駆動負荷検出の過程において算出される前記モータ電流の積分値を順次蓄積保存するメモリと、
を備えていることを特徴とする。
【手続補正１０】
【補正対象書類名】明細書
【補正対象項目名】００２９
【補正方法】変更
【補正の内容】
【００２９】
前記紙送り駆動負荷検出は、さらに、前記モータ電流の平均値の算出を行うものであり、前記メモリは、さらに、前記紙送り駆動負荷検出により算出された前記モータ電流の平均値を更新保存するものとするとよい。
【手続補正１１】
【補正対象書類名】明細書
【補正対象項目名】００３０
【補正方法】変更
【補正の内容】
【００３０】
本発明の具体的な第１の構成に係るプリンタ制御方法によれば、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
前記紙送り駆動負荷検出の実行の選択に応じて、紙送り機構部内に印刷紙が存在するか否かを検出する印刷紙検出ステップと、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えていることを特徴とする。
【手続補正１２】
【補正対象書類名】明細書
【補正対象項目名】００３１
【補正方法】変更
【補正の内容】
【００３１】
本発明の具体的な第２の構成に係るプリンタ制御方法によれば、
電源がオンになったことを検出する電源オン検出ステップと、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
電源オンの検出又は前記紙送り駆動負荷検出の実行の選択に応じて、紙送り機構部内に印刷紙が存在するか否かを検出する印刷紙検出ステップと、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えていることを特徴とする。
【手続補正１３】
【補正対象書類名】明細書
【補正対象項目名】００３４
【補正方法】変更
【補正の内容】
【００３４】
前記紙送り駆動負荷検出は、さらに、前記モータ電流の平均値の算出を行うものであり、前記保存ステップは、さらに、前記紙送り駆動負荷検出により算出された前記モータ電流の平均値を更新保存するものとするとよい。
【手続補正１４】
【補正対象書類名】明細書
【補正対象項目名】００３５
【補正方法】変更
【補正の内容】
【００３５】
本発明に係るコンピュータプログラムの記録媒体によれば、
プリンタ本体に対するオプション機器の着脱の検出に応じて、紙送りモータの定速度駆動時における紙送り駆動負荷に応じたモータ電流の測定を行う紙送り駆動負荷検出の実行又は不実行の選択を指令し、かつ、前記紙送り駆動負荷検出の実行の選択に応じて、前記紙送り駆動負荷検出に必要な動作を指令し、実行するプリンタ制御方法を、コンピュータシステムにおいて実行するコンピュータプログラムが記録されたことを特徴とする。
【手続補正１５】
【補正対象書類名】明細書
【補正対象項目名】００３６
【補正方法】変更
【補正の内容】
【００３６】
本発明の具体的な第１の構成に係るコンピュータプログラムの記録媒体によれば、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
前記紙送り駆動負荷検出の実行の選択に応じて、紙送り機構部内に印刷紙が存在するか否かを検出する印刷紙検出ステップと、
前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えているプリンタ制御方法を、コンピュータシステムにおいて実行するコンピュータプログラムが記録されたことを特徴とする。
【手続補正１６】
【補正対象書類名】明細書
【補正対象項目名】００３７
【補正方法】変更
【補正の内容】
【００３７】
本発明の具体的な第２の構成に係るコンピュータプログラムの記録媒体によれば、
電源がオンになったことを検出する電源オン検出ステップと、
プリンタ本体に対するオプション機器の着脱を検出するオプション機器着脱検出ステップと、
前記オプション機器の着脱の検出に応じて、紙送りモータの定速度駆動時における紙送り駆動負荷に応じたモータ電流の測定を行う紙送り駆動負荷検出の実行又は不実行の選択を指令する紙送り駆動負荷検出選択指令ステップと、
前記紙送り駆動負荷検出の実行又は不実行の選択指令に対し、前記紙送り駆動負荷検出の実行又は不実行の選択を入力する選択入力ステップと、
電源オンの検出又は前記紙送り駆動負荷検出の実行の選択に応じて、紙送り機構部が、所定範囲内の厚さの印刷紙の紙送りを行うためのニップ状態となっているか、又は、所定範囲を超える厚さの印刷紙の紙送りを行うためのレリース状態となっているかを検出するレリース検出ステップと、
電源オンの検出又は前記紙送り駆動負荷検出の実行の選択に応じて、紙送り機構部内に印刷紙が存在するか否かを検出する印刷紙検出ステップと、
電源オンの検出又は前記紙送り駆動負荷検出の実行の選択、並びに、ニップ状態の検出及び紙送り機構部内における印刷紙の有無の検出に応じて、前記紙送り駆動負荷検出に必要な動作を指令し、実行する紙送り駆動負荷検出指令実行ステップと、
前記紙送り駆動負荷検出の過程において算出される前記モータ電流の積分値を順次蓄積保存する保存ステップと、
を備えているプリンタ制御方法を、コンピュータシステムにおいて実行するコンピュータプログラムが記録されたことを特徴とする。